(57)【要約】      （修正有）【課題】未使用時には積重ねてコンパクトに保管・運搬でき、使用直前に包装箱に簡単に組み立てでき、且つ商品を収納して積み重ねた場合の積圧に強い包装箱を提供する。【解決手段】上方開口部に向けて広がるテーパー箱状容器部と下方開口部に向けて広がるテーパー蓋状蓋部とをヒンジ部４０を介して開閉自在に連設形成する。容器部の前板６、左・右側板８等の上縁に蓋部を受ける蓋受板１６，１７を底板５に平行に折曲可能に延設する。蓋部の前板２３、後板２４の両側縁に折曲糊代片を延設し、折り曲げて左・右側板の内面に接着する。蓋部の左・右側板２５，２６の下縁に折返糊代片を延設し左・右側板の内面側に折り重ねて接着する。蓋部の前板下縁の中央部に矩形状差込み片４１を延設し、容器部の前板６と延設された蓋受板１６，１７との境界に設けた差込みスリット２０に差し込んで蓋部を閉じた状態にロックする。【選択図】図３
0003170063.tif 000002
【実用新案登録請求の範囲】
【請求項１】
容器部と蓋部とがヒンジ部を介して開閉自在に連設形成された包装容器であって、
容器部は底板、前板、後板、左・右側板を有し、前板、後板の両側縁には折曲糊代片を延設して折り曲げて左・右側板の内面に接着することにより前板、後板、左・右側板が底板から開口部に向かって広がるテーパー箱状に形成され、前板、左・右側板の各上縁には前記蓋部を受ける蓋受板が底板に平行に折曲可能に延設されており、
前記蓋部は天板、前板、後板、左・右側板を有し、前板、後板の両側縁には折曲糊代片を延設して折り曲げて左・右側板の内面に接着することにより前板、後板、左・右側板が天板から下方開口部に向かって広がるテーパー蓋状に形成され、蓋部の左・右側板の各下縁には折返糊代片が延設されて左・右側板の内面側に折り重ねて接着されており、
前記容器部の後板と蓋部の後板とは連設されて連設部が前記ヒンジ部を構成しており、
蓋部を閉じる際には前記蓋部の前板下縁の中央部に延設した幅狭矩形状の差込み片を前記容器部の前板とそれに延設した蓋受板との境界部に設けた差込みスリットに差し込むことにより蓋部を閉じた状態にロックするように構成されていることを特徴とする包装箱。
【請求項２】
請求項１に記載の包装箱において、前記蓋部の前板下縁には蓋部の開口部形状に等しい裏天板が延設されてその左・右辺縁の中央部に幅狭矩形状の差込み片が延設され、前記蓋部の前板下縁中央部の差込み片は該裏天板に切り込みを設けて形成されており、
前記蓋部の左・右側板の各下縁には前記折返糊代片に代えて天板に平行に折曲可能な折曲片が延設され、その折曲境界の中央部には前記幅狭矩形状の差込み片を差し込むことにより裏天板を閉じた状態にロックする差込みスリットが構成されていることを特徴とする包装箱。
【考案の詳細な説明】
【技術分野】
【０００１】
本考案は、容器部と蓋部とを連設形成した包装箱に関し、より詳細には未使用時には積み重ねてコンパクトに保管・運搬でき、使用直前に見栄え良い包装箱に簡単に組み立てでき、且つ商品を収納して何段にも積み重ねた場合の積圧に強い構造の包装箱に関する。
【背景技術】
【０００２】
ファーストフードのテイクアウト用などに容器部と蓋部とが連設形成された紙製包装箱が使用される。図８はそうした包装箱の一例である。この包装箱６０の容器部６１は平行四辺形の底板６２から側板が開口部(蓋部)に向かって広がるテーパー状に形成されており、蓋部６３は長手方向側板の上縁に開閉自在に連設形成されている。この包装箱６０は容器部６１がテーパー箱状であるため、未使用時は蓋部６３を開けた状態で積み重ねて保管・運搬できる利点がある反面、高級感に欠け、食品等を収納して積み上げた場合の積圧に弱い問題がある。
【０００３】
また、特許文献１にはハンバーガーなどの食品を収納する包装容器として容器部に加えて蓋部もテーパー状にし、蓋部を容器部に開閉自在に連設形成した組立式包装容器が開示されている。この包装容器場合は蓋部もテーパー状に形成されているため前記図８の包装容器６０よりは上下方向積圧に強く、また未使用時には容器部、蓋部共に展開して積み重ねて保管・運搬できる利点を有する。しかし、この包装箱の場合は組み立てて蓋を閉じた状態では、蓋部を容器部に固定する係止爪が外部に突出して見栄えが良くない問題がある。
【先行技術文献】
【特許文献】
【０００４】
【特許文献１】特開２００７−２１０６６０号公報
【考案の開示】
【考案が解決しようとする課題】
【０００５】
本考案は、従来技術のこうした問題点を解決するためになされたもので、その課題は容器部と蓋部とを連設形成した包装箱であって、未使用時には積み重ねてコンパクトに保管・運搬でき、使用直前に見栄え良い包装箱に簡単に組み立てでき、且つ商品を収納して何段にも積み重ねた場合の積圧に強い包装箱を提供することにある。
【課題を解決するための手段】
【０００６】
前記課題を解決するための請求項１に記載の考案は、容器部と蓋部とがヒンジ部を介して開閉自在に連設形成された包装容器であって、容器部は底板、前板、後板、左・右側板を有し、前板、後板の両側縁には折曲糊代片を延設して折り曲げて左・右側板の内面に接着することにより前板、後板、左・右側板が底板から開口部に向かって広がるテーパー箱状に形成され、前板、左・右側板の各上縁には蓋部を受ける蓋受板が底板に平行に折曲可能に延設されており、蓋部は天板、前板、後板、左・右側板を有し、前板、後板の両側縁には折曲糊代片を延設して折り曲げて左・右側板の内面に接着することにより前板、後板、左・右側板が天板から下方開口部に向かって広がるテーパー蓋状に形成され、蓋部の左・右側板の各下縁には折返糊代片が延設されて左・右側板の内面側に折り重ねて接着されており、容器部の後板と蓋部の後板とは連設されて連設部がヒンジ部を構成しており、蓋部を閉じる際には蓋部の前板下縁の中央部に延設した幅狭矩形状の差込み片を容器部の前板とそれに延設した蓋受板との境界部に設けた差込みスリットに差し込むことにより蓋部を閉じた状態にロックするように構成されていることを特徴とする包装箱である。
【０００７】
本構成の包装箱は蓋部がテーパー蓋状に形成されているため従来の包装箱に比べて見栄えが良く、表面に印刷を施すことにより高級感ある包装箱となってギフト品、食品容器、菓子容器として好適である。また、蓋部がテーパー蓋状に形成され、容器部の開口端には蓋受板が設けてあるため収納品を収納して積み上げた場合の上下方向積圧に強い利点がある。更に、蓋部を１８０°に開き容器部の蓋受板を外側に折り曲げれば包装箱を積み重ねできる。このため使用前は積み重ねてコンパクトに運搬、保管でき、使用直前に組み立てて包装箱とすることができる利点がある。
【０００８】
また、請求項２に記載の考案は、請求項１に記載の包装箱において、蓋部の前板下縁には蓋部の開口部形状に等しい裏天板が延設されてその左・右辺縁の中央部に幅狭矩形状の差込み片が延設され、蓋部の前板下縁中央部の差込み片は裏天板に切り込みを設けて形成されており、蓋部の左・右側板の各下縁には折返糊代片に代えて天板に平行に折曲可能な折曲片が延設され、その折曲境界の中央部には前記差込み片を差し込むことにより裏天板を閉じた状態にロックする差込みスリットが構成されていることを特徴とする包装箱である。
【０００９】
本構成の包装箱はテーパー蓋状蓋部の下方開口部が裏天板で塞がれているため更に見栄良く、高級感がある。また、裏天板を設けたため収納品を収納して積み上げた場合の上下方向積圧に対して更に強くなる。更に、蓋部を１８０°に開き、容器部の蓋受板を外側に折り曲げ、裏天板も開けば空の包装箱を積み重ねできる。このため使用前は積み重ねてコンパクトに運搬、保管でき、使用直前に組み立てて包装箱とすることができる利点を有する。
【図面の簡単な説明】
【００１０】
【図１】第１の実施形態に係る包装箱１の外観斜視図である。
【図２】包装箱１の展開図である。
【図３】包装箱１の蓋部３を９０°に開いた状態の外観斜視図である。
【図４】包装箱１の蓋部３を１８０°に開いた状態の外観斜視図である。
【図５】第２の実施形態に係る包装箱１ａの展開図である。
【図６】包装箱１ａの蓋部３を９０°に開いた状態の外観斜視図である。
【図７】包装箱１ａの蓋部３を１８０°に開き裏天板も開いた状態の外観斜視図である。
【図８】従来の包装箱の一例である。
【考案を実施するための形態】
【００１１】
以下、本考案に係る包装箱の構成例を実施形態に分けて説明する。
（第１の実施形態）
本実施形態の包装箱１は容器部２と蓋部３とで構成される。図１は蓋部３を閉じた状態の包装箱１の外観斜視図、図２は包装箱１の展開図、図３は蓋部３を容器部２の開口部に対して９０°に開いた状態の外観斜視図、図４は蓋部３を１９０°に開いた状態の外観斜視図である。なお、図２の展開図中の破線は折曲線を示す。
【００１２】
容器部２は底板５、前板６、後板７、左側板８、右側板９により容器開口部が底板５より大きいテーパー箱状に形成されている。底板５は矩形に形成され、その周縁に折曲線１０を介して前板６、後板７、左側板８、右側板９が延設されている。容器部２を上方に向かって広がるテーパー箱状にするため、前板６、後板７、左側板８、右側板９の横幅は折曲線１０から離れるに従って幅広に形成されている。
【００１３】
前板６の両側縁には折曲線１１を介し前板折曲糊代片１２が、後板７の両側縁には折曲線１３を介し後板折曲糊代片１４がそれぞれ延設されている。前板６の折曲線１１に沿って両側縁の前板折曲糊代片１２を容器部２の内側に、後板７の折曲線１３に沿って両側縁の後板折曲糊代片１４を容器部２の内側にそれぞれ折り曲げる。そして前板６、後板７、左側板８、右側板９を折曲線１０に沿って折り曲げて立ち上げ、前板折曲糊代片１２、後板折曲糊代片１４を左側板８、右側板９の内側に接着剤を使用して接着する。これにより容器部２がテーパー箱状に形成される。
【００１４】
左側板８、右側板９、前板６の各上縁には蓋部３を受ける蓋受板１６、１６、１７が折曲可能に延設されている。蓋受板１６、１６、１７は包装箱１に収納物を収納して使用する際には、図３に示すように底板５に平行になるよう内側に折り曲げて蓋部３を受け止める。前板６とそれに延設された蓋受板１７の間の折曲線１９の中央部には、蓋部３に設けた後述の差込み片４１を差し込むための差込みスリット２０が設けられている。
【００１５】
蓋部３は天板２２、前板２３、後板２４、左側板２５、右側板２６により下部開口部が天板２２より大きいテーパー蓋状に形成されている。天板２２は矩形に形成され、その周縁に折曲線２８を介して前板２３、後板２４、左側板２５、右側板２６が延設されている。蓋部３を下方に向かって広がるテーパー蓋状にするため前板２３、後板２４、左側板２５、右側板２６の横幅は折曲線２８から離れるに従って幅広に形成されている。
【００１６】
蓋部３の前板２３の両側縁、後板２４の両側縁には、それぞれ折曲線３０、３１を介し前板折曲糊代片３３、後板折曲糊代片３４がそれぞれ延設されている。前板６の折曲線３０に沿って両側縁の前板折曲糊代片３３を蓋部３の内側に、後板２４の折曲線３１に沿って両側縁の後板折曲糊代片３４を蓋部３の内側にそれぞれ折り曲げる。そして前板２３、後板２４、左側板２５、右側板２６を折曲線２８に沿って折り曲げて立ち下げ、前板折曲糊代片３３、後板折曲糊代片３４を左側板２５、右側板２６の内側に接着剤を使用して接着する。これにより蓋部３がテーパー蓋状に形成される。
【００１７】
左側板２５、右側板２６の各下縁には、左側板２５、右側板２６と対称形状の折返糊代片３６、３７が延設されている。折返糊代片３６、３７は左側板２５、右側板２６との境界の折曲線３８、３９にて内面側に折り曲げて重ね、接着剤で接着されて蓋部３の強度を高めている。
【００１８】
容器部２の後板７と蓋部３の後板２４とは連設されており、その境界の折曲線が開閉自在のヒンジ部４０を構成している。容器部２の前板２３の下縁４２の中央部には幅狭矩形状の差込み片４１が延設されている。差込み片４１は、蓋部３を閉じる際には容器部２の前板６と蓋受板１７との境界部に設けた差込みスリット２０に差し込まれる。これにより蓋部３は閉じた状態にロックされる。
【００１９】
以上説明した本実施形態の包装箱１は、蓋部３がテーパー蓋状に形成されているため図８に示した従来の包装箱６０に比べて見栄えが良く、表面に印刷を施すことにより高級感ある包装箱６０となってギフト品、食品容器、菓子容器に好適である。また、蓋部３がテーパー蓋状に形成され、容器部２の開口端には蓋受板１６、１６、１７が設けてあるため、収納品を収納して積み上げた場合の上下方向積圧に強い利点がある。更に、図４に示すように蓋部３を１８０°に開き、容器部２の蓋受板１６、１６、１７を外側に折り曲げれば、空の包装箱１を積み重ねできる。このため使用前は積み重ねてコンパクトに運搬、保管でき、使用時には蓋受板１６、１６、１７を反対側に折り返して蓋部３を閉じることで簡単に包装箱とすることができる利点を有する。
【００２０】
（第２の実施形態）
本実施形態の包装箱１ａは、第１の実施形態に係る包装箱１の蓋部３に変形を加えたものである。蓋部を閉じた状態の外観は図１に示したものと同様である。図５は包装箱１ａの展開図であり、図中の破線は折曲線を示す。図６は蓋部３を容器部２の開口部に対して９０°に開いた状態の外観斜視図である。なお、図中、第１の実施形態と同一又は相当部分には同一符号を付してその説明を繰り返さない。
【００２１】
包装箱１ａが第１の実施形態に係る包装箱１と相違する点は、蓋部３の下方開口部を開口部形状に等しい裏天板５０で塞いだことにある。裏天板５０は蓋部３の前板２３に延設されており、大きさは蓋部３の開口部形状に等しくしてある。蓋部３を閉じた状態で容器部２にロックするための差込み片４１は裏天板５０に切り込みを設けて形成してある。
【００２２】
また、裏天板５０左・右辺縁の中央部には幅狭矩形状の差込み片５１が延設してある。差込み片５１は、裏天板５０を蓋部３の下方開口部を塞いだ状態にロックしておくためのものである。第１の実施形態の蓋部３では、左側板２５、右側板２６の各下縁に左側板２５、右側板２６と対称形状の折返糊代片３６、３７を延設して境界の折曲線３８、３９にて内面側に折り曲げて重ねて接着した。これに対して本実施形態ではそれら折返糊代片３６、３７に代えて蓋部３の左側板２５、右側板２６の各下縁に天板２２に平行に折曲可能な折曲片５２を延設し、その折曲境界５３の中央部に差込みスリット５４が設けてある。差込みスリット５４に差込み片５１が差し込んで裏天板５０を閉じた状態にロックする。
【００２３】
本実施形態の包装箱１ａはテーパー蓋状蓋部３の下方開口部が裏天板５０で塞がれているため第１の実施形態の包装箱１よりも見栄えが良く、高級感がある。また、裏天板５０を設けたため収納品を収納して積み上げた場合の上下方向積圧に対する強度が増している。更に、図７に示すように蓋部３を１８０°に開き、容器部２の蓋受板１６、１６、１７を外側に折り曲げ、裏天板５０も開いた状態とすれば空の包装箱１ａを積み重ねできる。このため使用前は積み重ねてコンパクトに運搬、保管でき、使用直前に組み立てて包装箱とすることができる利点を有する。
【符号の説明】
【００２４】
図面中、１は
１、１ａは包装容器、２は容器部、３は蓋部、５は底板、６は前板、７は後板、８は左側板、９は右側板、１２、１４は折曲糊代片、１６、１７は蓋受板、２０は差込みスリット、２２は天板、２３は蓋部の前板、２４は蓋部の後板、２５は蓋部の左側板、２６は蓋部の右側板、３３、３４は蓋部の折曲糊代片、３６、３７は折返糊代片、４０はヒンジ部、４１は差込み片、５０は裏天板、５１は差込み片、５２は折曲片、５４は差込みスリットを示す。
【図１】
0003170063.tif 000003
【図２】
0003170063.tif 000004
【図３】
0003170063.tif 000005
【図４】
0003170063.tif 000006
【図５】
0003170063.tif 000007
【図６】
0003170063.tif 000008
【図７】
0003170063.tif 000009
【図８】
0003170063.tif 000010